(57)【要約】【課題】視機能の検査後に移動することなく多焦点レンズの近用ポイントを容易に確認することができる自覚式検眼装置を提供する。【解決手段】矯正装置１５及び視標提示装置１４の作動を制御するための制御装置２４に、被検者１２の被検眼１３の視機能の検査結果に応じて作成すべき眼鏡２９の多焦点レンズの近用ポイントを確認するための鏡３０を設ける。【選択図】  図２
2007105229.tif 000002
【特許請求の範囲】
【請求項１】
各種の視標を被検眼に提示するための視標提示装置と、該視標提示装置及び前記被検眼間に配置され、前記被検眼の前記視標の見え具合に応じて前記被検眼の視機能を矯正するための矯正装置と、該矯正装置及び前記視標提示装置の作動を制御するための制御装置とを備え、前記被検眼の視機能を被検者の自覚的な判断に基づいて検査するための自覚式検眼装置であって、前記制御装置には、前記被検眼の視機能の検査結果に応じて作成すべき眼鏡の多焦点レンズの近用ポイントを確認するための鏡が設けられていることを特徴とする自覚式検眼装置。
【請求項２】
前記制御装置は、前記矯正装置及び前記視標提示装置を作動させるべく操作される操作部と、該操作部に接続され、該操作部の操作内容を表示するための表示画面を有するモニター部とを備え、前記鏡は、前記モニター部の前記表示画面上に設けられており、前記表示画面の照明時に該表示画面の透視を許すことを特徴とする請求項１に記載の自覚式検眼装置。
【発明の詳細な説明】
【技術分野】
【０００１】
本発明は、被検眼の視機能を被検者の自覚的な判断に基づいて検査するための自覚式検眼装置に関する。
【背景技術】
【０００２】
従来、眼鏡を作成する際に該眼鏡のレンズの屈折度数を定めるために、被検眼の視機能を被検者の応答に基づいて検査するための自覚式検眼装置が知られている（例えば、特許文献１参照。）。このような自覚式検眼装置は、各種の視標を被検眼に提示するための視標提示装置と、視標提示装置及び被検眼間に配置され、被検眼の視機能を矯正するための矯正装置とを備える。更に、自覚式検眼装置は、矯正装置及び視標提示装置の作動を制御するための制御装置を備える。制御装置は、矯正装置を支持する検眼テーブル上に載置されている。矯正装置には、一対の検眼窓が形成されており、被検者は、各検眼窓を通して視標提示装置により提示された視標を見ることによって被検眼の視機能を検査することができる。
【０００３】
この自覚式検眼装置の検査結果に基づいて眼鏡を作成する際、近くを見るための近用領域を有する多焦点レンズを作成する場合、例えばフレーム内に透明テープが張られた眼鏡を被検者に掛けさせ、互いに対面した検者と被検者との中間に、多焦点レンズの近用領域となる領域の中心点である近用ポイントを確認するための専用の確認器を配置し、確認器に設けられた鏡を被検者に見させた状態で鏡に映る被検眼の瞳孔を視認しながら透明テープに被検眼の瞳孔に対応する位置で近用ポイントを示す印を付す（例えば、特許文献２参照。）。これにより、多焦点レンズの近用領域を定めることができる。
【特許文献１】特開２００２−１４３０９２号（第３−４頁、図１）
【特許文献２】特開昭６２−１８９０４３号（第２頁、図１）
【発明の開示】
【発明が解決しようとする課題】
【０００４】
ところで、近年、例えば眼鏡店内の省スペース化を図るために自覚式検眼装置が小型化されており、この小型化に伴って、制御装置が載置された検眼テーブルが狭くなっている。このため、自覚式検眼装置による被検眼の視機能を検査した後、多焦点レンズを作成すべく近用ポイントを確認するときに、自覚式検眼装置とは別に用意された専用の確認器を制御装置に加えて検眼テーブル上に載置することが困難である。このため、前記確認器を自覚式検眼装置が設置された場所とは別の場所に設置して多焦点レンズの近用ポイントの確認作業を行う度に自覚式検眼装置の設置場所からその場所に被検者を移動させる必要があり、被検者が車椅子に乗っている場合には特に不便である。
【０００５】
そこで、本発明の目的は、視機能の検査後に移動することなく多焦点レンズの近用ポイントを容易に確認することができる自覚式検眼装置を提供することにある。
【課題を解決するための手段】
【０００６】
上記課題を解決するために、請求項１に記載の発明は、各種の視標を被検眼に提示するための視標提示装置と、該視標提示装置及び前記被検眼間に配置され、前記被検眼の前記視標の見え具合に応じて前記被検眼の視機能を矯正するための矯正装置と、該矯正装置及び前記視標提示装置の作動を制御するための制御装置とを備え、前記被検眼の視機能を被検者の自覚的な判断に基づいて検査するための自覚式検眼装置であって、前記制御装置には、前記被検眼の視機能の検査結果に応じて作成すべき眼鏡の多焦点レンズの近用ポイントを確認するための鏡が設けられていることを特徴とする。
【０００７】
請求項２に記載の発明は、請求項１に記載の発明において、前記制御装置は、前記矯正装置及び前記視標提示装置を作動させるべく操作される操作部と、該操作部に接続され、該操作部の操作内容を表示するための表示画面を有するモニター部とを備え、前記鏡は、前記モニター部の前記表示画面上に設けられており、前記表示画面の照明時に該表示画面の透視を許すことを特徴とする。
【発明の効果】
【０００８】
請求項１に記載の発明によれば、矯正装置及び視標提示装置の作動を制御するための制御装置に、被検眼の視機能の検査結果に応じて作成すべき眼鏡の多焦点レンズの近用ポイントを確認するための鏡が設けられていることから、自覚式検眼装置とは別に多焦点レンズの近用ポイントを確認するための従来のような専用の確認器を用意する必要がない。これにより、被検眼の視機能の検査後、多焦点レンズを作成すべく近用ポイントを確認するときに、制御装置に設けられた鏡が被検者と検者との中間に位置するように制御装置を配置することにより、自覚式検眼装置が設置された場所から移動することなく該場所と同一の場所で多焦点レンズの近用ポイントを確認することができる。従って、被検者が車椅子に乗っている場合でも、視機能の検査後に多焦点レンズの近用ポイントを不便を掛けることなく容易に確認することができる。
【０００９】
請求項２に記載の発明によれば、鏡が、制御装置の操作部に接続されたモニター部の表示画面上に設けられており、表示画面の照明時に該表示画面の透視を許すいわゆるマジックミラーで構成されていることから、鏡の明るい側から暗い側を透視することはできないがその逆は可能であるので、表示画面が照明されているときすなわち表示画面の使用中は、鏡を介して表示画面を透視することができる。これにより、制御装置の使用時に鏡が表示画面の視認の妨げになることを確実に防止することができる。また、例えば制御装置の電源をＯＦＦ状態にすることにより表示画面への照明を消したとき、鏡に物体を映すことができる。これにより、表示画面が上方へ向くように制御装置を検者と被検者との中間に配置することによって、多焦点レンズの近用ポイントを容易に確認することができる。
【発明を実施するための最良の形態】
【００１０】
本発明を図示の実施例に沿って説明する。
【実施例】
【００１１】
本発明に係る検眼装置１０は、図１に示すように、各種の視標１１を被検者１２の被検眼１３（図４参照。）に提示するための視標提示装置１４と、被検眼１３の視機能を矯正するための矯正装置１５とを備える。自覚式検眼装置１０は、従来よく知られているように、眼鏡２９（図４参照。）を作成する際に該眼鏡のレンズの屈折度数を定めるために、被検眼１３の視機能を被検者１２の自覚的な判断に基づいて検査するために用いられている。
【００１２】
視標提示装置１４は、視標１１が表示される表示窓１６が形成された提示装置本体１７を備える。表示窓１６には、図示の例では、被検眼１３の視力を測定するための従来よく知られたランドルト環が記された視力テスト用チャートが表示されており、該チャート以外に、例えば図示しない乱視テスト用チャート及びクロスシリンダーテスト用チャート等が表示される。
【００１３】
視標提示装置１４の被検者１２側には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１５が取り付けられている。
【００１４】
矯正装置１５は、左右方向に並べて配置された一対のフォロプタ２１を備える。各フォロプタ２１は、それぞれハウジング２１ａを備える。各ハウジング２１ａには、それぞれ該各ハウジングを貫通する検眼窓２２が形成されている。また、各ハウジング２１ａ内には、図示しないが従来と同様に互いに屈折度数の異なる複数のレンズが周方向に沿って設けられた環状のレンズディスクが回転可能に収納されている。前記各レンズは、前記レンズディスクの回転により各検眼窓２２内に選択的に配置される。
【００１５】
更に、自覚式検眼装置１０は、矯正装置１５及び視標提示装置１４の作動を制御するための制御装置２４を備える。制御装置２４は、検眼テーブル１８上に載置されており、検者２３により操作される操作部２５と、該操作部に電気的に接続され、該操作部の操作内容を表示するためのモニター部２７とを備える。
【００１６】
操作部２５は、図示の例では、平面が矩形状をなしており、視標提示装置１４の表示窓１６に表示する視標１１を選択したり、矯正装置１５の検眼窓２２内に配置する前記レンズを選択したりするための複数の操作スイッチ２５ａを備える。
【００１７】
モニター部２７は、図２に示すように、操作部２５の各操作スイッチ２５ａの操作内容を表示する表示画面２６を有する。表示画面２６は、図示の例では、液晶パネルで構成されており、モニター部２７内に設けられた図示しない光源により、その裏面側から照明される。モニター部２７は、操作部２５の縁部２５ｂに該縁部に沿って設けられた軸部材２８を介して、表示画面２６が上方を向き且つ検眼テーブル１８に平行になる姿勢と、操作部２５と重なり合い且つ検眼テーブル１８に平行になる姿勢との間で枢動可能に枢着されている。
【００１８】
被検者１２は、制御装置２４の操作部２５の各操作スイッチ２５ａの操作により視標提示装置１４の表示窓１６に表示された視標１１を各検眼窓２２内に配置された前記各レンズを通して見て、その見え具合を検者２３に応答する。この被検者１２の応答に基づいて、各検眼窓２２内に配置するレンズを操作部２５の各操作スイッチ２５ａの操作により切り替えることによって、被検眼１３の視機能が矯正される。これにより、作成すべき眼鏡２９のレンズの屈折度数を定めることができる。
【００１９】
更に、本発明に係る制御装置２４には、自覚式検眼装置１０による検査結果に基づいて眼鏡２９を作成する際に図示しない多焦点レンズを作成するとき、該多焦点レンズに近用領域を定めるべく近用ポイントを確認するための鏡３０が設けられている。前記多焦点レンズは、従来よく知られているように、遠くを見るための遠用領域と、該遠用領域とは屈折率の異なる屈折率を有し、近くを見るための近用領域とが、単一のレンズに形成されたレンズである。本実施例における前記多焦点レンズは、遠用領域及び近用領域間に境界がある二重焦点レンズや、遠用領域及び近用領域間に境界がなく、遠用領域及び近用領域間で屈折率が除々に変化する累進多焦点レンズ等を含む。また、近用ポイントは、前記多焦点レンズの近用領域の中心点である。
【００２０】
鏡３０は、図２に示す例では、モニター部２７の表示画面２６上に設けられており、シート状のマジックミラーで構成されている。マジックミラーは、従来よく知られているように、互いに重なり合った二枚の図示しない板ガラス間に例えば水銀のような液状の金属を注入することにより形成されており、暗い側から明るい側を見たときは明るい側への透視を許し、他方、明るい側から暗い側を見たときは暗い側への透視を妨げ、鏡として機能する。従って、制御装置２４が作動して表示画面２６が前記光源により照明されたとき、鏡３０を介して表示画面２６の透視が可能となり、例えば制御装置２４の電源をＯＦＦ状態にすることにより表示画面２６への照明を消したとき、鏡３０に物体が映される。鏡３０の中央部には、後述するように前記多焦点レンズの近用ポイントの確認のための図示しない印が記されている。
【００２１】
この制御装置２４に設けられた鏡３０を用いて前記多焦点レンズの近用ポイントを確認する際、鏡３０が上方を向くようにモニター部２７を軸部材２８の周りに枢動させ、図３に示すように、検眼テーブル１８を挟んで対面した検者２３と被検者１２との中間に鏡３０が位置するように制御装置２４を検眼テーブル１８上に配置する。
【００２２】
次に、図４に示すように、フレーム３１内に透明テープ３２がそれぞれ張られた眼鏡２９を被検者１２に掛けさせ、鏡３０に記された前記印を被検者１２に見させる。この状態で鏡３０に映る被検眼１３の瞳孔１３ａを視認しながら各透明テープ３２に被検眼１３の瞳孔１３ａに対応する位置で近用ポイントを示す印３３を付す。これにより、前記多焦点レンズの近用ポイントが確認され、前記多焦点レンズ内に近用領域を定めることができる。
【００２３】
眼鏡２９に取り付けられた既存の前記多焦点レンズの近用領域が適正な位置に形成されているか否かを確認するときは、被検者１２に眼鏡２９を掛けさせた状態で鏡３０に記された前記印を見させ、被検眼１３の瞳孔１３ａ、前記多焦点レンズの近用ポイント及び鏡３０の前記印が互いに一致するか否かを鏡３０で視認することにより、前記多焦点レンズに形成された近用領域の位置が適正であるか否かを確認することができる。
【００２４】
本実施例によれば、前記したように、矯正装置１５及び視標提示装置１４の作動を制御するための制御装置２４に、被検眼１３の視機能の検査結果に応じて作成すべき眼鏡２９の前記レンズの近用ポイントを確認するための鏡３０が設けられていることから、自覚式検眼装置１０とは別に前記多焦点レンズの近用ポイントを確認するための従来のような専用の確認器を用意する必要がない。
【００２５】
これにより、自覚式検眼装置１０による被検眼１３の視機能の検査後、前記多焦点レンズを作成すべく近用ポイントを確認するときに、検眼テーブル１８上に載置された制御装置２４の鏡３０が被検者１２と検者２３との中間に位置するように制御装置２４を配置することにより、自覚式検眼装置１０が設置された場所から移動することなく該場所と同一の場所で前記多焦点レンズの近用ポイントを確認することができる。
【００２６】
従って、被検者１２が車椅子に乗っている場合でも、視機能の検査後に前記多焦点レンズの近用ポイントを不便を掛けることなく容易に確認することができる。
【００２７】
また、前記したように、制御装置２４に設けられた鏡３０がマジックミラーで構成されていることから、モニター部２７の表示画面２６が照明されているときすなわち表示画面２６の使用中は、鏡３０を介して表示画面２６を透視することができるので、制御装置２４の使用時に鏡３０が表示画面２６の視認の妨げになることを確実に防止することができる。また、例えば制御装置２４の電源をＯＦＦ状態にすることにより表示画面２６への照明を消したとき、鏡３０に物体を映すことができるので、表示画面２６が上方へ向くようにモニター部２７を検者と被検者との中間に配置することにより、自覚式検眼装置１０が設置された場所から移動することなく眼鏡２９の前記多焦点レンズの近用ポイントを容易に確認することができる。
【００２８】
本実施例では、前記多焦点レンズを作成すべく近用ポイントを確認するための鏡３０が制御装置２４のモニター部２７の表示画面２６上に設けられた例を示したが、これに代えて、モニター部２７の表示画面２６が設けられた側の面と反対側に位置する面に鏡３０を設けることができる。この場合、マジックミラーのような特殊な鏡に代えて、通常用いられる鏡を本発明に適用することができる。また、この場合、モニター部２７を操作部２５と重なり合い且つ検眼テーブル１８に平行になるように軸部材２８の周りに枢動させた状態では鏡３０が上方へ向くので、上方へ向いた鏡３０を用いて前記したと同様に前記レンズの近用ポイントを確認することができる。
【００２９】
また、本実施例では、モニター部２７が操作部２５に連結された例を示したが、これに代えて、モニター部２７を操作部２５に連結することなく該操作部と別体に設けることができる。この場合、前記多焦点レンズを作成すべく近用ポイントを確認する際に、表示画面２６が上方へ向くようにモニター部２７を検眼テーブル１８上に横たわらせることにより、前記多焦点レンズの近用ポイントを確認することができる。
【図面の簡単な説明】
【００３０】
【図１】本発明に係る自覚式検眼装置を概略的に示す斜視図である。
【図２】本発明に係る制御装置を概略的に示す横断面図である。
【図３】本発明に係る制御装置に設けられた鏡を用いて多焦点レンズの近用ポイントを確認する様子を概略的に示す説明図である。
【図４】多焦点レンズの近用ポイントの確認作業の開始状態を概略的に示す眼鏡の正面図である。
【符号の説明】
【００３１】
１０  自覚式検眼装置
１３  被検眼
１４  視標提示装置
１５  矯正装置
２４  制御装置
２９  眼鏡
３０  鏡
２５  操作部
２６  表示画面
２７  モニター部
【図１】
2007105229.tif 000003
【図２】
2007105229.tif 000004
【図３】
2007105229.tif 000005
【図４】
2007105229.tif 000006